Podtech/llm-jp-corpus-v4-ja_patent huggingface dataset:
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
使用者の手によって支えられるように構成されたハウジングであって、該ハウジングが、遠位端と、近位端と、前記遠位端と前記近位端との間に延びる長手方向軸線とを有し、該ハウジングが、ガイドワイヤが貫通されて配置されるとともに、前記遠位端と前記近位端との間で延びることができるように構成され、該ハウジングが、使用者の手の内の少なくとも一部に適合するように構成されたハンドルを備える、ハウジングと、
前記ハウジングによって支持され、前記ガイドワイヤを回転駆動するように構成された駆動システムと、
前記ハウジングにより支持された手動式入力モジュールであって、前記ハウジングが使用者の手によって支えられている間に、使用者の手の１本以上の指が前記ガイドワイヤの回転を手動で停止または減速することを可能にするように構成された手動式入力モジュールと、
を備える、ガイドワイヤ操作装置。
【請求項２】
前記手動式入力モジュールが、前記駆動システムが前記ガイドワイヤを積極的に回転させていないときに、使用者の手の１本以上の指が前記ガイドワイヤを手動で回転することを可能にするように構成されている、請求項１に記載のガイドワイヤ操作装置。
【請求項３】
前記駆動システムがモータを備える、請求項１または２に記載のガイドワイヤ操作装置。
【請求項４】
前記モータは１つ以上のバッテリーによって電力が与えられる、請求項３に記載のガイドワイヤ操作装置。
【請求項５】
前記駆動システムに連結されたロックアセンブリであって、前記ハウジングに対して前記ガイドワイヤの長手方向位置を選択的に維持するように構成され、かつ、前記駆動システムの回転運動を前記ガイドワイヤの回転運動に伝達するように構成されたロックアセンブリをさらに備える、請求項１または２に記載のガイドワイヤ操作装置。
【請求項６】
前記ロックアセンブリがチャックを備える、請求項５に記載のガイドワイヤ操作装置。
【請求項７】
前記チャックがコレットを含む、請求項６に記載のガイドワイヤ操作装置。
【請求項８】
前記駆動システムが、前記ガイドワイヤを第１の回転方向に回転させるように構成され、かつ、前記ガイドワイヤの第２の回転方向への回転を阻止するように構成されており、前記第２の回転方向が前記第１の回転方向とは反対である、請求項１または２に記載のガイドワイヤ操作装置。
【請求項９】
前記手動式入力モジュールが、前記ガイドワイヤと一致して回転するように構成された少なくとも１つの入力インタフェースを含み、前記少なくとも１つの入力インタフェースが、円形以外の断面を有する外面を含む、請求項１または２に記載のガイドワイヤ操作装置。
【請求項１０】
前記外面が１つ以上の突起を含む、請求項９に記載のガイドワイヤ操作装置。
【請求項１１】
前記駆動システムが、前記ガイドワイヤに時計回りの運動および反時計回りの運動を交互に加えるように構成されている、請求項１または２に記載のガイドワイヤ操作装置。
【請求項１２】
前記駆動システムが、約７．０６×１０−４ニュートンメートルと約０．１６９ニュートンメートルとの間のストールトルクを有する、請求項１または２に記載のガイドワイヤ操作装置。
【請求項１３】
前記ハンドルが、前記長手方向軸線に対して略半径方向に延びており、前記ハンドルが、遠位側に向く面と近位側に向く面を含み、前記遠位側に向く面が、前記長手方向軸線に垂直な平面に対して遠位側に向けられた角度にて延びる、請求項１または２に記載のガイドワイヤ操作装置。
【請求項１４】
前記遠位側に向く面の前記遠位側に向けられた角度が約２５°と約４５°との間である、請求項１３に記載のガイドワイヤ操作装置。
【請求項１５】
前記遠位側に向く面の前記遠位側に向けられた角度が約３０°と約４０°との間である、請求項１４に記載のガイドワイヤ操作装置。
【請求項１６】
前記近位側に向く面が、前記長手方向軸線に垂直な平面に対して遠位側に向けられた角度で延びる、請求項１３に記載のガイドワイヤ操作装置。
【請求項１７】
前記手動式入力モジュールは、前記ハウジングが使用者の手によって支えられている間に前記ガイドワイヤの回転を停止させることなく使用者の手の２本以上の指が前記ガイドワイヤの回転を減速するのを可能にするように構成されている、請求項１または２に記載のガイドワイヤ操作装置。
【請求項１８】
少なくとも１つの前記手動式入力モジュールは、該手動式入力モジュールが前記ガイドワイヤを把持して前記ガイドワイヤと一致して回転する第１の状態と、該手動式入力モジュールが前記ガイドワイヤから解放され、該手動式入力モジュールと前記ガイドワイヤとの間で相対的な回転が可能となる第２の状態とを有する、請求項１または２に記載のガイドワイヤ操作装置。
【請求項１９】
少なくとも１つの前記手動式入力モジュールが、使用者の手の２本以上の指によって前記第１の状態と前記第２の状態との間で移動されるように構成されている、請求項１８に記載のガイドワイヤ操作装置。
【請求項２０】
前記手動式入力モジュールが、前記駆動システムが積極的に前記ガイドワイヤを回転させているときに、使用者の手の１本以上の指が前記ガイドワイヤの回転を手動で停止または減速することを可能にするように構成されている、請求項１または２に記載のガイドワイヤ操作装置。
【請求項２１】
前記手動式入力モジュールが、使用者の手の１本以上の指によって直接接触されるように構成された接触面を含む、請求項１または２に記載のガイドワイヤ操作装置。
【請求項２２】
前記ハンドルに指示される１つ以上のコントローラであって、前記ハウジングが使用者の手によって支持されている間に使用者の手の１本以上の指がアクセス可能である、１つ以上のコントローラをさらに備える、請求項１または２に記載のガイドワイヤ操作装置。
【請求項２３】
前記１つ以上のコントローラが、前記ガイドワイヤを回転させるための２つ以上のルーチンから選択するように構成された調整ノブを含む、請求項２２に記載のガイドワイヤ操作装置。
【請求項２４】
前記１つ以上のコントローラが、前記駆動システムにより駆動されているときに前記ガイドワイヤの回転速度を増減するように構成された調整タブを含む、請求項２２に記載のガイドワイヤ操作装置。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
患者の血管の内部に対して実施される回転式医療手術中に前記血管の特性を評価する方法であって、前記方法は、
回転ドライブシャフトと前記回転ドライブシャフトを回転させるように構成されたプライムムーバーとを含む回転式医療システムを提供することと、
少なくとも１つの磁石を提供することとを含み、前記少なくとも１つの磁石は、前記血管の内部に位置し、前記回転ドライブシャフトが回転すると回転するように構成されており、
少なくとも１つの磁場センサを提供することと、
前記回転ドライブシャフトと前記少なくとも１つの磁石とを回転させることによって磁場を発生させることと、
前記少なくとも１つの磁場センサを用いて前記少なくとも１つの磁石の回転時の位置を検知し第１のテストデータセットを取得することと、
前記少なくとも１つの磁石の検知した位置を用いて、
前記結果の直径、
前記血管の断面形状、
前記血管内の閉塞の断面形状、
前記血管のコンプライアンス、
前記血管のエラスタンス、
前記血管は少なくとも部分的に石灰化しているか否か、
相対的石灰化量、
前記少なくとも１つの磁石が前記血管の壁に当たる頻度、
からなる群に含まれる前記血管の特性のうちの少なくとも１つを判断することとを含む、方法。
【請求項２】
第２のテストデータセットを取得し前記第２のテストデータセットを前記第１のテストデータセットと比較することをさらに含む、請求項１に記載の方法。
【請求項３】
少なくとも１つの基準データセットを取得し前記第１のテストデータセットを前記少なくとも１つの基準データセットと比較することをさらに含む、請求項１に記載の方法。
【請求項４】
少なくとも１つの基準データセットを取得し前記第２のテストデータセットを前記少なくとも１つの基準データセットと比較することをさらに含む、請求項２に記載の方法。
【請求項５】
前記回転式医療手術の進捗をリアルタイムでモニタリングすることをさらに含む、請求項２に記載の方法。
【請求項６】
前記取得したテストデータセットを用いて前記回転式医療手術の完全度を評価することをさらに含む、請求項２に記載の方法。
【請求項７】
前記回転式医療手術は回転式アテローム切除術を含み、前記回転式医療システムは回転式アテローム切除システムを含む、請求項１に記載の方法。
【請求項８】
前記回転ドライブシャフトは少なくとも１つの研磨素子を含み、前記少なくとも１つの磁石は、前記少なくとも１つの研磨素子の上、中、または近傍に位置する、請求項２に記載の方法。
【請求項９】
患者の血管の内部に対して実施される回転式医療手術中に前記血管の特性を評価する方法であって、前記方法は、
回転ドライブシャフトと前記回転ドライブシャフトを回転させるように構成されたプライムムーバーとを含む回転式医療システムを提供することと、
少なくとも１つのフィールドエミッタを提供することとを含み、前記少なくとも１つのフィールドエミッタは、前記血管の内部に位置し、前記回転ドライブシャフトが回転すると回転するように構成されており、
前記患者の外部に位置する少なくとも１つの場センサを提供することと、
前記回転ドライブシャフトと前記少なくとも１つのフィールドエミッタとを回転させることによって放射場を発生させることと、
前記少なくとも１つの場センサを用いて前記少なくとも１つのフィールドエミッタの回転時の位置を検知し第１のテストデータセットを取得することと、
前記少なくとも１つのフィールドエミッタの検知した位置を用いて、
前記結果の直径、
前記血管の断面形状、
前記血管内の閉塞の断面形状、
前記血管のコンプライアンス、
前記血管のエラスタンス、
前記血管は少なくとも部分的に石灰化しているか否か、
相対的石灰化量、
前記少なくとも１つのフィールドエミッタが前記血管の壁に当たる頻度、
からなる群に含まれる前記血管の特性のうちの少なくとも１つを判断することとを含む、方法。
【請求項１０】
前記少なくとも１つのフィールドエミッタは無線周波数（ＲＦ）エミッタを含み、前記少なくとも１つの場センサはＲＦセンサを含む、請求項９に記載の方法。
【請求項１１】
第２のテストデータセットを取得し前記第２のテストデータセットを前記第１のテストデータセットと比較することをさらに含む、請求項１０に記載の方法。
【請求項１２】
少なくとも１つの基準データセットを取得し前記第１のテストデータセットを前記少なくとも１つの基準データセットと比較することをさらに含む、請求項９に記載の方法。
【請求項１３】
少なくとも１つの基準データセットを取得し前記第２のテストデータセットを前記少なくとも１つの基準データセットと比較することをさらに含む、請求項１１に記載の方法。
【請求項１４】
前記回転式医療手術の進捗をリアルタイムでモニタリングすることをさらに含む、請求項１１に記載の方法。
【請求項１５】
前記取得したテストデータセットを用いて前記回転式医療手術の完全度を評価することをさらに含む、請求項１２に記載の方法。
【請求項１６】
前記回転式医療手術は回転式アテローム切除術を含み、前記回転式医療システムは回転式アテローム切除システムを含む、請求項１５に記載の方法。
【請求項１７】
前記回転ドライブシャフトは少なくとも１つの研磨素子を含み、前記少なくとも１つのフィールドエミッタは、前記少なくとも１つの研磨素子の上、中、または近傍に位置する、請求項１６に記載の方法。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
後方散乱反射光測定を用いて医療デバイスの位置及び／又は形状を感知するための光学的形状感知システムであって、前記光学的形状感知システムは、
広帯域スペクトルの複数の波長の入力光を発生させるための広帯域光源と、
マルチコア光ファイバを含む複数の干渉計を備える干渉計装置と、を備え、
前記マルチコア光ファイバは、少なくとも２つの中心コアを備え、前記干渉計の各々は、前記入力光から分割された複数の入力光ビームのうちの対応するものを用いて前記後方散乱反射光測定を別個に遂行し、前記干渉計の各々は、
対応する前記入力光ビームを参照ビームとデバイスビームとに分割するためのファイバスプリッタと、
前記参照ビームを案内するための追加の光ファイバと、
前記デバイスビームを前記医療デバイス内で反射されるように案内し、反射された前記デバイスビームを案内するための前記マルチコア光ファイバの対応するファイバコアと、
反射された前記デバイスビームを前記参照ビームと結合し、出力光ビームを形成するためのファイバ結合器と、を備え、
前記光学的形状感知システムは、
前記出力光ビームを受光し、前記出力光ビームと相互作用するための分光計を更に備え、前記分光計は、前記出力光ビームを検出するための検出器ユニットを備える、光学的形状感知システム。
【請求項２】
前記広帯域光源は、スーパールミネッセント発光ダイオードを備える、請求項１に記載の光学的形状感知システム。
【請求項３】
前記広帯域スペクトルは、本質的に１５５０ｎｍを中心とする本質的に２０ｎｍの帯域幅を持つ連続的光学帯域を含む、請求項１に記載の光学的形状感知システム。
【請求項４】
前記広帯域スペクトルは、本質的に８００ｎｍを中心とする本質的に１０ｎｍ又は５ｎｍの帯域幅を持つ連続的光学帯域を含む、請求項１に記載の光学的形状感知システム。
【請求項５】
前記検出器ユニットは、アレイ状に配列された複数の検出器要素からなる検出器アレイを備える、請求項１に記載の光学的形状感知システム。
【請求項６】
前記検出器アレイは、２次元アレイを含む、請求項５に記載の光学的形状感知システム。
【請求項７】
前記２次元アレイの１つの次元は、前記広帯域スペクトルの分散のために用いられ、前記２次元アレイの他の次元は、前記マルチコア光ファイバのコアのうちの１つから各々生じる異なる出力光信号を分布させるために用いられる、請求項６に記載の光学的形状感知システム。
【請求項８】
前記マルチコア光ファイバは、前記マルチコア光ファイバの中心に配置された中心コア、及び前記中心コアの周りに螺旋状に巻かれた少なくとも３つの外側コアを含む、請求項１に記載の光学的形状感知システム。
【請求項９】
前記外側コアは、前記光ファイバの長手方向と垂直な断面において互いに等距離を隔てて配置される、請求項８に記載の光学的形状感知システム。
【請求項１０】
前記検出器ユニットには、１ミリ秒〜２ミリ秒の積分時間が与えられる、請求項１に記載の光学的形状感知システム。
【請求項１１】
前記干渉計装置は、前記デバイスビームを前記マルチコア光ファイバへ方向付けし、前記マルチコア光ファイバから反射された前記デバイスビームを前記ファイバ結合器へ方向付けし直すためのサーキュレータを備えるマッハ・ツェンダー干渉計を備える、請求項１に記載の光学的形状感知システム。
【請求項１２】
前記光学的形状感知システムは、前記入力光ビームの各々を２つの入力偏光状態に偏光させるための偏光コントローラを更に備え、前記偏光コントローラは、前記広帯域光源と光学フーリエドメイン反射率計との間に配置されている、請求項１に記載の光学的形状感知システム。
【請求項１３】
前記光学的形状感知システムは、前記出力光ビームを、２つの出力偏光状態のうちの各々対応するものである２つの信号部分に分割するための偏光ビームスプリッタを更に備え、前記検出器ユニットは、２つの信号部分を検出し、前記偏光ビームスプリッタは、前記光学フーリエドメイン反射率計と前記検出器ユニットとの間に配置されている、請求項１２に記載の光学的形状感知システム。
【請求項１４】
後方散乱反射光測定を用いて医療デバイスの位置及び／又は形状を感知するための方法であって、前記方法は、
広帯域スペクトルの複数の波長の入力光を発生させるステップと、
マルチコア光ファイバを含む複数の干渉計を備える干渉計装置を用いて前記入力光から分割された複数の入力光ビームのうちの対応するものを用いて後方散乱反射光測定を別個に遂行するステップと、を有し、
前記マルチコア光ファイバは、少なくとも２つのファイバコアを備え、
前記後方散乱反射光測定は、
対応する前記入力光ビームを参照ビームとデバイスビームとに分割するステップ、
追加の光ファイバを用いて前記参照ビームを案内するステップ、
前記マルチコア光ファイバの対応する前記ファイバコアを用いて、前記デバイスビームを前記医療デバイス内で反射されるように案内し、反射された前記デバイスビームを案内するステップ、及び
前記反射されたデバイスビームを前記参照ビームと結合し、出力光ビームを形成するステップ、を含み、
前記方法は、前記出力光ビームを受光して相互作用し、前記出力光ビームを検出するステップを更に有する、方法。
【請求項１５】
医療デバイスの位置及び／又は形状を感知するためのコンピュータプログラムであって、当該コンピュータプログラムが請求項１に記載の光学的形状感知システムを制御するコンピュータ上で実施されると、前記光学的形状感知システムに、請求項１４に記載の方法のステップを遂行させるプログラムコード手段を含む、コンピュータプログラム。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
材料を目標部位（１１２）に送達するための送達システム（１０）であって、
オペレータによって把持可能である把持部分を有する手持ち式送達装置（１０２）であって、開口（１０９）を有し、前記材料を前記開口（１０９）を通して前記目標部位（１１２）に送達するように構成された手持ち式送達装置（１０２）と、
前記送達装置（１０２）及び前記目標部位（１１２）を追跡し、位置信号を生成するように構成されたナビゲーションシステム（１０４）と、
前記送達装置（１０２）及び前記ナビゲーションシステム（１０４）と通信する制御装置（１０６）であって、前記目標部位（１１２）と関連付けられた仮想境界（１１０）を画定し，前記ナビゲーションシステム（１０４）からの前記位置信号に基づき、前記仮想境界（１１０）に対する前記開口（１０９）の移動を制御するように構成されている、制御装置（１０６）と、
を備えている、送達システム（１０）であって、
前記送達システム（１０）は、前記送達装置（１０２）に動作可能に連結された少なくとも１つのアクチュエータ（１２０、１２２、１２４）をさらに備え、把持部分に対して少なくとも２自由度で前記開口（１０９）を移動するように構成されており、前記制御装置（１０６）は、前記開口（１０９）を移動させるように前記少なくとも１つのアクチュエータ（１２０、１２２、１２４）を制御することによって、前記開口の移動を制御するように構成されている、送達システム（１０）。
【請求項２】
前記ナビゲーションシステム（１０４）は、前記開口（１０９）を追跡し、前記開口（１０９）の位置に対応する位置信号を生成することによって、前記送達装置（１０２）を追跡するようにさらに構成されている、請求項１に記載の送達システム（１０）。
【請求項３】
前記制御装置（１０６）は、前記送達装置（１０２）が前記材料を前記目標部位（１１２）に送達している間に前記開口（１０９）の移動を制御するように構成されている、請求項１に記載の送達システム（１０）。
【請求項４】
前記材料を前記送達装置（１０２）に供給するための材料供給装置（１７４）をさらに備え、前記制御装置（１０６）は、前記ナビゲーションシステム（１０４）からの前記位置信号に基づき、前記材料が前記送達装置（１０２）によって前記目標部位（１１２）に送達される比率を制御するために、前記材料供給装置（１７４）と通信している、請求項１に記載の送達システム（１０）。
【請求項５】
前記材料供給装置（１７４）によって前記送達装置（１０２）に供給される前記材料を保存するために、前記材料供給装置（１７４）に連結されたリザーバ（１７２）をさらに備えている、請求項４に記載の送達システム（１０）。
【請求項６】
前記ナビゲーションシステム（１０４）は、カメラユニット（１５４）を備えている、請求項１〜５のいずれか１つに記載の送達システム（１０）。
【請求項７】
前記送達装置（１０２）に取付け可能な第１のトラッカー（１５０）及び前記目標部位（１１２）に取付け可能な第２のトラッカー（１５２）をさらに備え、前記ナビゲーションシステム（１０４）は、前記送達装置（１０２）及び前記目標部位（１１２）の位置を追跡するために、前記第１及び第２のトラッカー（１５０、１５２）を追跡するように構成されている、請求項１〜５のいずれか１つに記載の送達システム（１０）。
【請求項８】
前記送達装置（１０２）は、切断アクセサリ（１３０）内に一体化され、前記切断アクセサリ（１３０）は、材料を目標部位（１１２）に送達させる時の中心管腔を画定している、請求項１〜７のいずれか１つに記載の送達システム（１０）。
【請求項９】
材料を手持ち送達装置（１０２）の開口（１０９）を通して仮想境界（１１０）によって画定された目標部位（１１２）に送達するための方法であって、前記送達装置（１０２）は、オペレータによって把持される把持部分（１６０）と、把持部分に対して少なくとも２自由度で前記送達装置（１０２）の前記開口（１０９）を移動するように構成された少なくとも１つのアクチュエータ（１２０、１２２、１２４）を備え、前記方法は、
前記材料を前記開口（１０９）を通して前記目標部位（１１２）に送達するステップと、
前記送達装置（１０２）及び前記目標部位（１１２）を追跡し、位置信号を生成するステップと、
前記材料を前記目標部位（１１２）に送達している間に、前記位置信号に基づき前記仮想境界（１１０）に対する把持部分に対して少なくとも２自由度における前記開口（１０９）が移動するように前記少なくとも１つのアクチュエータ（１２０、１２２、１２４）を制御するステップと、
を含む、方法。
【請求項１０】
前記位置信号に基づき、前記材料が前記目標部位（１１２）に送達される比率を制御するステップをさらに含む、請求項９に記載の方法。
【請求項１１】
前記開口（１０９）の移動を制御する前記ステップは、前記位置信号に基づき前記送達装置（１０２）を移動させることをさらに含んでいる、請求項９に記載の方法。
【請求項１２】
前記開口（１０９）の移動を制御する前記ステップは、触覚フィードバックを生成することをさらに含んでいる、請求項９に記載の方法。
【請求項１３】
前記開口（１０９）の移動を制御する前記ステップは、前記送達装置（１０２）を前記仮想境界（１１０）に対して自律的に移動させるようにさらに定められている、または、前記送達装置（１０２）及び前記目標部位（１１２）を追跡する前記ステップは、前記送達装置（１０２）に取付け可能な第１のトラッカー（１５０）及び前記目標部位（１１２）に取付け可能な第２のトラッカー（１５２）を追跡するように、さらに定められている、請求項９〜１２のいずれ１つに記載の方法。
【請求項１４】
請求項９に記載の方法は、
前記材料を前記目標部位（１１２）に送達している間に、前記位置信号に基づき前記材料の流量を制御するステップをさらに含む、方法。
【請求項１５】
前記目標部位（１１２）に送達された材料の体積を計算するステップをさらに含み、選択肢として、前記目標部位（１１２）に送達された前記材料の体積が所定の体積と等しい時、前記目標部位（１１２）への材料の流れを停止することをさらに含む、請求項１４に記載の方法。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
生物の血管を特徴付ける装置であって、
測定情報を処理するプロセッサを有し、
前記装置は、血管内における追跡可能な機器の瞬間的ロケーション情報を測定する追跡ユニットと、前記血管の形態学的な投影情報を生成するイメージングユニットと、に結合され、
前記プロセッサは、前記機器の遠位部分の第１の瞬間的ロケーションに対応する前記形態学的な投影情報から、前記血管の第１の直径を導出し、
前記機器の前記前記遠位部分の第２の瞬間的ロケーションに対応する前記形態学的な投影情報から、前記血管の第２の直径を導出し、
前記機器の前記遠位部分が前記第１の瞬間的ロケーションから前記第２の瞬間的ロケーションまで移動すると、前記血管の３次元形態モデルにおいて、前記機器の前記遠位部分の前記第１及び第２の瞬間的ロケーションの間の相対位置によって規定される２つのロケーションに、前記血管の第１及び第２の直径を割り当てることにより前記３次元形態モデルを生成する、装置。
【請求項２】
前記プロセッサによって処理される前記血管の形態学的な投影情報は、血管造影像から導出される、請求項１に記載の装置。
【請求項３】
前記プロセッサによって処理される前記機器の前記瞬間的ロケーション情報は、電磁信号から導出される、請求項１に記載の装置。
【請求項４】
前記血管内の前記機器のロケーションを表す前記第１及び前記第２の瞬間的ロケーションの情報は、前記生物の周期的な心臓又は呼吸動きの同じフェーズのものである、請求項１に記載の装置。
【請求項５】
前記装置は更に、ディスプレイを有し、前記プロセッサは、前記ディスプレイに、前記割り当てられた第１及び第２の直径を有する前記３次元形態モデルのグラフィック表現を表示する、請求項１乃至４のいずれか１項に記載の装置。
【請求項６】
生物の血管を特徴付けるシステムであって、
請求項１に記載の装置と、
前記生物の血管に導入する追跡可能な機器と、
前記血管の機器の瞬間的ロケーション情報を測定する追跡ユニットと、
前記血管の形態学的な投影情報を生成するイメージングユニットと、
を有するシステム。
【請求項７】
前記追跡可能な機器は、生理学的情報を測定するセンサを有し、
前記プロセッサは、前記血管の３次元形態モデルにおいて、前記機器の第１の瞬間的ロケーションによって規定されるロケーションに少なくとも第１の生理学的情報を割り当てる、請求項６に記載のシステム。
【請求項８】
前記プロセッサは更に、前記血管の前記３次元形態学的なモデルにおいて、前記機器の第２の瞬間的ロケーションによって規定されるロケーションに少なくとも第２の生理学的情報を割り当てる、請求項７に記載のシステム。
【請求項９】
前記生理学的情報が、血圧、血流速度、ＦＦＲ及び血流抵抗のうちの少なくとも１つである、請求項７又は８に記載のシステム。
【請求項１０】
前記機器が、少なくとも電磁センサを有し、前記追跡ユニットが、電磁界生成器を有し、前記イメージングユニットが、放射線イメージングユニットである、請求項６に記載のシステム。
【請求項１１】
生物の血管を特徴付ける方法であって、
追跡可能な機器を前記血管に導入するステップと、
前記血管内の前記機器の瞬間的ロケーション情報を測定するステップと、
前記血管の形態学的な投影情報を生成するステップと、
前記機器の遠位部分の第１の瞬間的ロケーションに対応する前記形態学的な投影情報から前記血管の第１の直径を導出するステップと、
前記機器の前記遠位部分の第２の瞬間的ロケーションに対応する前記形態学的な投影情報から、前記血管の第２の直径を導出するステップと、
前記機器の前記遠位部分が前記第１の瞬間的ロケーションから前記第２の瞬間的ロケーションまで移動すると、前記血管の３次元形態モデルにおいて、前記機器の前記遠位部分の前記第１及び前記第２の瞬間的ロケーションの間の相対位置によって規定される２つのロケーションに、前記血管の第１及び第２の直径を割り当てることにより前記３次元形態モデルを生成するステップと、
を有する、方法。
【請求項１２】
前記第１及び前記第２の直径を導出する前記ステップ、及び前記機器の前記第１及び第２の瞬間的ロケーションを測定する前記ステップは、前記生物の心臓動き又は呼吸動きを表す周期的な動きの連続するフェーズの間実施され、
前記血管の３次元形態モデルにおいて、前記機器の前記遠位部分の前記第１及び前記第２の瞬間的ロケーションの間の相対位置によって規定される２つのロケーションに前記血管の第１及び第２の直径を割り当てる前記ステップは、前記周期的な動きの連続する個々のフェーズについて実施される、請求項１１に記載の方法。
【請求項１３】
ディスプレイに、前記割り当てられた第１及び第２の直径を有する前記３次元形態モデルのグラフィック表現を表示するステップを更に有する、請求項１１又は１２に記載の方法。
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
腹腔鏡下縫合器具であって、
近位端部および遠位端部を備えたハンドル組立体を有し、
前記ハンドル組立体の前記遠位端部から遠位側に延びていて長手方向中心軸線を定める細長いシャフトを有し、
前記細長いシャフトから遠位側に延びるジョー組立体を有し、前記ジョー組立体は、各々が前記細長いシャフトに回動可能に結合された近位端部と、遠位端部とを備えた第１のジョーおよび第２のジョーを含み、
針を有し、
前記ジョー組立体および前記針は、前記針が前記第１のジョーおよび前記第２のジョーのうちの一方内に位置決めされるとともに、前記第１のジョー、前記第２のジョー、および前記針が前記長手方向中心軸線と全体として整列した格納形態と、前記第１のジョー、前記第２のジョー、および前記針が前記長手方向中心軸線に対して横断方向に延びる開き位置との間で選択的に位置決め可能である、腹腔鏡下縫合器具。
【請求項２】
前記ハンドル組立体は、前記第１のジョーおよび前記第２のジョーを前記格納形態に選択的に位置決めするよう前記ジョー組立体に作動可能に結合されたラッチ機構体を含む、請求項１記載の腹腔鏡下縫合器具。
【請求項３】
前記第１のジョーは、
前記第１のジョーの前記近位端部のところに位置する第１のベースジョーと、
前記第１のジョーの前記遠位端部のところに位置していて前記第１のベースジョーに回動可能に結合された第１のフリップジョーと、を有し、前記第１のフリップジョーは、前記ジョー組立体が前記格納形態にある格納位置と縫合位置との間で前記第１のベースジョーに対して回動可能である、請求項１記載の腹腔鏡下縫合器具。
【請求項４】
前記第１のフリップジョーには針受け入れチャネルが形成され、前記針受け入れチャネルは、前記第１のジョーの前記近位端部から前記第１のジョーの前記遠位端部まで延びる軸線に対して全体として横断方向に位置決めされている、請求項３記載の腹腔鏡下縫合器具。
【請求項５】
前記第１のフリップジョー内には、前記針の一部分が前記針受け入れチャネル内に位置決めされると、前記針に係合する戻り止めが設けられている、請求項４記載の腹腔鏡下縫合器具。
【請求項６】
前記第１のフリップジョーを貫通してシムチャネルが延び、前記シムチャネルは、前記針受け入れチャネルを横切っている、請求項４記載の腹腔鏡下縫合器具。
【請求項７】
前記第１のフリップジョーを前記縫合形態にロックするよう前記シムチャネル中に部分的に伸長することができ、更に前記針が前記針受け入れチャネル内に位置決めされると、前記針に係合するよう前記針受け入れチャネル中に伸長することができるシムを更に有する、請求項６記載の腹腔鏡下縫合器具。
【請求項８】
前記針は、前記針が前記第１のフリップジョーの前記針受け入れチャネル内に位置決めされると、前記第１のフリップジョーの前記シムチャネルと整列可能なシム切欠きを有する、請求項７記載の腹腔鏡下縫合器具。
【請求項９】
前記第２のジョーは、
前記第２のジョーの前記近位端部のところに位置する第２のベースジョーと、
前記第２のジョーの前記遠位端部のところに位置していて前記第２のベースジョーに回動可能に結合された第２のフリップジョーと、を有し、前記第２のフリップジョーは、前記ジョー組立体が前記格納形態にある格納位置と縫合位置との間で前記第１のベースジョーに対して回動可能である、請求項３記載の腹腔鏡下縫合器具。
【請求項１０】
前記針は、前記第１の穿通先端部および前記第１の穿通先端部と反対側の第２の穿通先端部を有する、請求項１記載の腹腔鏡下縫合器具。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
関心領域を含む立体測定領域を撮像するための超音波システムであって、
前記立体測定領域にわたって可変周波数範囲内の超音波ビームをステアリング可能な複数のＣＭＵＴトランスデューサのアレイを有する、腔内撮像に適したプローブと、
超音波ビームステアリングを制御し、前記立体測定領域の超音波画像データを提供する、前記アレイに結合されたビームフォーマと、
動作の際、前記可変周波数範囲内で、前記ＣＭＵＴトランスデューサの動作周波数を変化させる、前記ビームフォーマに結合されたトランスデューサ周波数コントローラであって、前記周波数コントローラは、前記立体測定領域内でステアリングされる超音波ビームについて、前記動作周波数を第１の周波数に設定する、トランスデューサ周波数コントローラと、
前記超音波画像データに基づき超音波画像を生成する画像プロセッサと、
前記超音波画像データに基づき関心領域を識別することを可能にする関心領域（ＲＯＩ）識別部であって、前記立体測定領域内の前記関心領域を示す識別データを生成する、ＲＯＩ識別部と、
前記プローブ及び前記ＲＯＩ識別部に結合され、動作中、前記プローブを動かすように作用する駆動機構とを備え、
前記トランスデューサ周波数コントローラはさらに、前記識別データに基づき、前記関心領域内でステアリングされる超音波ビームについて、前記動作周波数を第２の周波数に変更し、前記第２の周波数は、前記第１の周波数よりも高く、前記駆動機構は、前記超音波ビームが前記関心領域内でステアリングされる間、前記識別データに基づき前記プローブを動かし、前記プローブと前記関心領域との間の距離変更を可能にする、超音波システム。
【請求項２】
前記ビームフォーマは、前記立体測定領域内で比較的低い空間分解能を有し、前記関心領域内で比較的高い空間分解能を有する前記超音波画像データを提供する、請求項１に記載の超音波システム。
【請求項３】
前記画像プロセッサは、前記低い空間分解能のデータに基づき前記立体測定領域のワイドビューを生成し、前記高い空間分解能のデータに基づき前記関心領域の詳細ビューを生成する、請求項２に記載の超音波システム。
【請求項４】
前記立体測定領域の前記ワイドビュー、及び前記関心領域の前記詳細ビューの両方を表示する、前記画像プロセッサに結合された画像ディスプレイをさらに備える、請求項３に記載の超音波システム。
【請求項５】
前記画像ディスプレイは、前記ワイドビュー及び前記詳細ビューの両方を空間的レジストレーションで表示する、請求項４に記載の超音波システム。
【請求項６】
前記立体測定領域内の前記関心領域の手動選択に応答する、前記ＲＯＩ識別部に結合されたユーザインターフェイスをさらに備える、請求項１に記載の超音波システム。
【請求項７】
前記ユーザインタフェイスは、ディスプレイに関連づけられたタッチスクリーンである、請求項６に記載の超音波システム。
【請求項８】
前記関心領域の前記詳細ビューはリアルタイム更新される、請求項３に記載の超音波システム。
【請求項９】
前記画像ディスプレイはさらに、前記立体測定領域内の前記プローブの現在位置を表示する、請求項４に記載の超音波システム。
【請求項１０】
前記トランスデューサ周波数コントローラは、前記動作周波数を、前記関心領域内でステアリングされる超音波ビームについて前記第２の周波数に、前記関心領域外でステアリングされる超音波ビームについて前記第１の周波数に同時に設定し、前記第２の周波数は前記第１の周波数よりも高い、請求項１に記載の超音波システム。
【請求項１１】
前記アレイは１次元アレイである、請求項１に記載の超音波システム。
【請求項１２】
前記アレイは２次元アレイである、請求項１に記載の超音波システム。
【請求項１３】
関心領域を含む立体測定領域の可変周波数超音波撮像の方法であって、
前記立体測定領域にわたって、可変周波数範囲内の超音波ビームをステアリングするステップと、
前記超音波ビームのステアリングを制御し、前記立体測定領域の超音波画像データを提供するステップであって、前記制御は、前記ステアリングされるビームの周波数を第１の周波数に設定することを含む、ステップと、
超音波画像を生成するために前記超音波画像データを処理するステップと、
前記立体測定領域内の前記超音波画像データにおける前記関心領域を示す識別データを生成するステップと、
プローブから前記関心領域までの距離を計算するステップと、
前記超音波ビームが前記関心領域内でステアリングされる間、前記関心領域に対して前記プローブを動かすことによって前記距離を縮めるステップであって、縮めることは前記識別データに基づくステップと、
前記関心領域内でステアリングされる超音波ビームの周波数を、前記第１の周波数よりも高い第２の周波数に変更するステップとを含む、方法。
【請求項１４】
前記立体測定領域内で比較的低い空間分解能を有し、前記関心領域内で比較的高い空間分解能を有する前記超音波画像データを提供するステップをさらに含む、請求項１３に記載の方法。
【請求項１５】
前記低い空間分解能のデータに基づき前記立体測定領域のワイドビューを生成し、前記高い空間分解能のデータに基づき前記関心領域の詳細ビューを生成するステップを含む、請求項１４に記載の方法。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
基部と、
１つ以上の心臓弁尖であって、前記弁尖の少なくとも一部分は複合材料を含み、前記複合材料が、ポリマー基材と、前記ポリマー基材中に少なくとも一部配置された、プレストレス付与した補強要素と、を含むことを特徴とする、１つ以上の心臓弁尖と、
を含む、人工心臓弁。
【請求項２】
前記プレストレス付与した補強要素は、前記プレストレス付与した補強要素の長さに沿った２つ以上の別々の位置において前記ポリマー基材に結合されている、請求項１に記載の人工心臓弁。
【請求項３】
前記ポリマー基材と前記プレストレス付与した補強要素は異なる材料を含む、請求項１又は２に記載の人工心臓弁。
【請求項４】
前記ポリマー基材は少なくとも２つのポリマー層を含み、前記プレストレス付与した補強要素は前記少なくとも２つのポリマー層の間に配置されている、請求項１〜３のいずれか一項に記載の人工心臓弁。
【請求項５】
前記プレストレス付与した補強要素は金属を含む、請求項１〜４のいずれか一項に記載の人工心臓弁。
【請求項６】
前記プレストレス付与した補強要素はニチノールを含む、請求項５に記載の人工心臓弁。
【請求項７】
前記プレストレス付与した補強要素はポリマーを含む、請求項１〜６のいずれか一項に記載の人工心臓弁。
【請求項８】
前記プレストレス付与した補強要素は、ポリエーテルエーテルケトン（ＰＥＥＫ）又はポリエーテルスルホン（ＰＥＳ）を含む、請求項７に記載の人工心臓弁。
【請求項９】
前記ポリマー基材はポリイソブチレンポリウレタン（ＰＩＢ−ＰＵＲ）を含む、請求項１〜８のいずれか一項に記載の人工心臓弁。
【請求項１０】
前記プレストレス付与した補強要素は、前記ポリマー基材がひずんでいない状態のときに張力が付与されるように構成されている、請求項１〜９のいずれか一項に記載の人工心臓弁。
【請求項１１】
前記プレストレス付与した補強要素は張力が付与されている、前記ポリマー基材の少なくとも一部分は圧縮されている、又はこの両方である、請求項１〜１０のいずれか一項に記載の人工心臓弁。
【請求項１２】
前記プレストレス付与した補強要素は複数の繊維を含む、請求項１〜１１のいずれか一項に記載の人工心臓弁。
【請求項１３】
前記プレストレス付与した補強要素はメッシュを含む、請求項１〜１２のいずれか一項に記載の人工心臓弁。
【請求項１４】
基部と、
１つ以上の心臓弁尖であって、本体を含み、前記本体の少なくとも一部分は複合材料を含み、前記複合材料は、ポリマー基材と、前記ポリマー基材内に埋め込まれた、プレストレス付与したメッシュと、を含み、前記プレストレス付与したメッシュの少なくとも一部分は、前記プレストレス付与したメッシュに前記弁尖の前記本体に沿った少なくとも１つの方向に張力が付与されるように、前記ポリマー基材内に埋め込まれていることを特徴とする、１つ以上の心臓弁尖と、
を含む、人工心臓弁。
【請求項１５】
人工心臓弁尖の製造方法であって、
第１の高分子層と第２の高分子層との間に複数の繊維を配置することと、
前記複数の繊維に所定の軸力を加えることと、
前記複数の繊維を前記第１の層及び前記第２の層に結合することと、
を含む、方法であって、
前記結合工程の最中、前記複数の繊維に前記所定の軸力を加えることを特徴とする、
方法。
【請求項１６】
前記所定の軸力を加えることは、前記複数の繊維に引張力を加えることを含む、請求項１５に記載の方法。
【請求項１７】
前記軸力を加えることは、約０．５重量ポンド〜約１重量ポンドの範囲の引張力を加えることを含む、請求項１５に記載の方法。
【請求項１８】
前記複数の繊維に前記所定の軸力を加えることは、前記第１の層及び前記第２の層が前記複数の繊維に結合されている間、前記繊維の少なくとも一部分を所定の伸び率まで弾性的に変形することを含む、請求項１５に記載の方法。
【請求項１９】
前記結合工程は、前記第１の層及び前記第２の層を前記複数の繊維に圧縮成形すること又はディップコーティングすることを含む、請求項１５に記載の方法。
【請求項２０】
前記複数の繊維を配置することは、前記複数の繊維を前記心臓弁尖の周方向、前記心臓弁尖の半径方向、又はその両方に位置合わせすることを含む、請求項１５に記載の方法。
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
ｉ）未調理のスナック食品生地に、複数の顆粒の形態の固体シーズニング成分を含む、第１部分シーズニング組成物を局所適用すること、ここで前記顆粒が、シーズニング原料の混合物；シーズニング原料のための担体；および任意に少なくとも１つのアジュバント成分を含む；
ｉｉ）コーティングしたスナック食品生地をオーブンまたはフライヤーで調理すること；および
ｉｉｉ）第２部分シーズニング組成物を調理されたスナック食品に局所適用すること
を含む、スナック食品のシーズニング方法。
【請求項２】
前記顆粒の体積平均粒子径が２５０〜１４００ミクロンを有している、請求項１に記載の方法。
【請求項３】
前記顆粒が、結合溶液または懸濁液を用いて複数の一次粒子を凝集させる過程を経て形成される複合粒子の形態である、請求項１または２に記載の方法。
【請求項４】
結合溶液または懸濁液が、アラビアガム、マルトデキストリン、およびメチルセルロースなどのセルロース誘導体からなる群から選択される結合剤を含む、請求項３に記載の方法。
【請求項５】
結合溶液または懸濁液が、シーズニング原料を含有する、請求項３または４に記載の方法。
【請求項６】
顆粒が２５０ｇ／ｌ〜１０００ｇ／ｌのかさ密度を有する、請求項１〜５のいずれか一項に記載の方法。
【請求項７】
第１の部分シーズニング組成物が、味物質を含有する、請求項１〜６のいずれか一項に記載の方法。
【請求項８】
第２部分シーズニング組成物がアロマオイルである、請求項１〜７のいずれか一項に記載の方法。
【請求項９】
スナック食品が、デンプン質またはデンプンベースである、請求項１〜８のいずれか一項に記載の方法。
【請求項１０】
スナック食品が、クラッカーである、請求項９に記載の方法。
【請求項１１】
請求項１〜１０のいずれか一項に記載の方法により得られるスナック食品。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
ａ）  そのＣ末端に切断部位を含むプレ配列であって、そのＮ末端にアミノ酸ＭＡＴＴＸ１Ｔ、ＭＡＴＴＸ１ＴＧ、ＭＡＴＴＸ１ＴＧＮ、ＭＡＴＴＸ１ＴＧＮＳまたはＭＡＴＴＸ１ＴＧＮＳＡを含み、Ｘ１は、ＬまたはＳであるプレ配列と、
ｂ）  ＣＤ−ＲＡＰまたはその多様体であって、該多様体が配列番号１の配列に対して少なくとも９５％の配列同一性を有する、ＣＤ−ＲＡＰまたはその多様体と
を含む、ＣＤ−ＲＡＰ前駆体タンパク質。
【請求項２】
前記プレ配列は、そのＮ末端にアミノ酸ＭＡＴＴＳＴ、ＭＡＴＴＳＴＧ、ＭＡＴＴＳＴＧＮ、ＭＡＴＴＳＴＧＮＳもしくはＭＡＴＴＳＴＧＮＳＡまたはそれらの多様体を含む、請求項１に記載のＣＤ−ＲＡＰ前駆体タンパク質。
【請求項３】
前記プレ配列は、５〜５０のアミノ酸の長さを有し、特に６〜３５のアミノ酸の長さを有する、請求項１または２に記載のＣＤ−ＲＡＰ前駆体タンパク質。
【請求項４】
前記前駆体タンパク質は、ＫｙｔｅおよびＤｏｏｌｉｔｔｌｅによるハイドロパシーの総平均（ＧＲＡＶＹ）−０．０３未満を有し、かつ／または前記プレ配列は、ＫｙｔｅおよびＤｏｏｌｉｔｔｌｅによるハイドロパシーの総平均（ＧＲＡＶＹ）−０．２未満を有する、請求項１から３までのいずれか１項に記載のＣＤ−ＲＡＰ前駆体タンパク質。
【請求項５】
前記切断部位は、酵素切断部位であり、特にエンドペプチダーゼ切断部位であり、特にエンテロキナーゼ切断部位であるか、または混合求核体スーパーファミリーＡ（ＰＡ  ｃｌａｎ）プロテアーゼ切断部位であり、特にＲアミノ酸またはＫアミノ酸である、請求項１から４までのいずれか１項に記載のＣＤ−ＲＡＰ前駆体タンパク質。
【請求項６】
前記エンドペプチダーゼは、システインプロテアーゼおよびセリンプロテアーゼからなる群から選択され、好ましくはトリプシンまたはキモトリプシンであり、より好ましくはトリプシンである、請求項５に記載のＣＤ−ＲＡＰ前駆体タンパク質。
【請求項７】
前記プレ配列は、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９からなる群から選択されるアミノ酸配列もしくはその多様体を含むか、または該アミノ酸配列もしくはその多様体からなる、請求項１から６までのいずれか１項に記載のＣＤ−ＲＡＰ前駆体タンパク質。
【請求項８】
前記前駆体タンパク質は、配列番号２０によるアミノ酸配列もしくはその多様体を含むか、または該アミノ酸配列もしくはその多様体からなる、請求項１から７までのいずれか１項に記載のＣＤ−ＲＡＰ前駆体タンパク質。
【請求項９】
請求項１から８までのいずれか１項に記載の前駆体ＣＤ−ＲＡＰタンパク質をコードする核酸。
【請求項１０】
請求項９に記載の核酸を含有するベクター。
【請求項１１】
請求項１から８までのいずれか１項に記載の前駆体ＣＤ−ＲＡＰタンパク質、請求項９に記載の核酸または請求項１０に記載のベクターを含む、宿主細胞。
【請求項１２】
ネイティブＣＤ−ＲＡＰの製造方法であって、
ａ）  請求項１から８までのいずれか１項に記載のＣＤ−ＲＡＰ前駆体タンパク質を提供するステップと、
ｂ）  前記プレ配列を除去してネイティブＣＤ−ＲＡＰを取得するステップと
を含む方法。
【請求項１３】
以下：
ｃ）  前記ＣＤ−ＲＡＰ前駆体タンパク質のフォールディングを行い、適宜、前記フォールディング済みのＣＤ−ＲＡＰを精製するステップと、
ｄ）  前記ネイティブＣＤ−ＲＡＰを精製するステップと
のうちの１つまたは複数をさらに含む、請求項１２に記載の方法。
【請求項１４】
ステップｂ）において前記プレ配列を除去する前かまたはその後に、特にステップｂ）において前記プレ配列を除去する前に、ステップｃ）においてＣＤ−ＲＡＰのフォールディングを行う、請求項１２または１３に記載の方法。
【請求項１５】
ステップｂ）において、前記プレ配列を、酵素による切断によって除去し、特にエンテロキナーゼによる切断によって、またはエンドペプチダーゼによる切断によって、特にトリプシンによる切断によって除去する、請求項１２から１４までのいずれか１項に記載の方法。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ストラップを接続するためのバックルであって、
一位置から延在するように構成されたカプラと、
ストラップ接続孔が形成されたストラップ接続部であって、マスク本体に接続されたストラップに前記ストラップ接続孔が接続されているストラップ接続部と、
前記一位置に接続されて、前記カプラに対向するように構成された面を含むフック部と、を備え、
ヘルメットのタップ又はヘッドクレードルのタップが、それらの位置が固定されるように、前記カプラと前記フック部との間に収容される、バックル。
【請求項２】
連結凹部が、前記カプラにおいて、その外端部から凹状に形成されている、請求項１に記載のバックル。
【請求項３】
前記カプラは、
中央連結部材と、
前記中央連結部材の両側に形成された側部連結部材と、を含み、
前記連結凹部は、前記中央連結部材とその両側に形成された前記側部連結部材との間の境界を画定するように形成されている、請求項２に記載のバックル。
【請求項４】
円筒形の本体を更に備え、
前記カプラと前記フック部とが前記本体から突出するように形成され、前記ストラップ接続部は、前記本体から独立した部材として設けられる、請求項１に記載のバックル。
【請求項５】
前記カプラは、前記本体に対して所定の角度で傾斜するように突出する形状に形成される、請求項４に記載のバックル。
【請求項６】
前記カプラは、
前記カプラの中央に形成された貫通孔の内部に収容されて前記貫通孔の複数の内側面のうちの一面から突出するように形成された可撓性部材と、
前記可撓性部材の端部において前記フック部に向かって突出するように構成された加圧突起とを含む、請求項４に記載のバックル。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
対象者の育毛または毛髪刺激を促進する方法であって、
ハンドピースアセンブリを使用して、育毛または毛髪刺激が望まれる対象者の皮膚表面の標的部分に沿って真空または吸引を適用することと、
前記対象者の皮膚表面の前記標的部分に少なくとも１つの治療材料を供給することと、を含み、
前記真空または吸引を適用することは、育毛促進または毛髪刺激を助長し、前記真空または吸引を適用することは、前記対象者の皮膚表面の前記標的部分、または該標的部分の付近の血流促進を助長する、方法。
【請求項２】
前記真空または吸引は連続的または間欠的に適用される、請求項１に記載の方法。
【請求項３】
前記真空または吸引はパルス装置を使用して間欠的に適用される、請求項２に記載の方法。
【請求項４】
前記対象者の皮膚に少なくとも１つの治療材料を供給することは、（ｉ）手で塗布することにより、または軽くたたくことにより手動で、あるいは（ｉｉ）ハンドピースアセンブリを介して達成される、請求項１に記載の方法。
【請求項５】
前記パルス装置は、前記対象者の皮膚表面に沿って第１圧力および第２圧力を交互に生成するように構成されており、前記第１圧力は前記第２圧力よりも大きく、かつ前記第２圧力は真空または吸引である、請求項３に記載の方法。
【請求項６】
前記第１圧力は正圧である、請求項５に記載の方法。
【請求項７】
前記第１圧力は真空または吸引である、請求項５に記載の方法。
【請求項８】
前記ハンドピースアセンブリの遠位端は、前記対象者の皮膚表面と接触するように構成されている、請求項１乃至７のいずれか１項に記載の方法。
【請求項９】
前記ハンドピースアセンブリの前記遠位端はチップを備える、請求項８に記載の方法。
【請求項１０】
前記チップは前記ハンドピースアセンブリの近位部分から取り外し可能である、請求項９に記載の方法。
【請求項１１】
前記チップは真空または吸引が選択的に適用される少なくとも１つの吸引ポートまたは開口部を備える、請求項９に記載の方法。
【請求項１２】
前記少なくとも１つの治療材料は、成長因子、アミノ酸（例えば、ロイシン、イソロイシン、バリン等）、抗酸化剤、ミノキシジル、他の抗高血圧血管拡張剤、フィナステリド、デュタステリド、ケトコナゾール、スピロノラクトン、フルタミド、カテキン、エピカテキン、他の植物化学物質、カルニチン、レジュバプレックス（“rejuvaplex”）、銅ペプチド、他の育毛刺激剤、他の医薬品および非医薬品、植物由来製品、クレンジングシャンプーまたはプレクレンジングシャンプー、他のクレンジング溶液またはプレクレンジング溶液（例えば、サリチル酸、グリサル（“GlySal”）（商標）（グリコール酸およびサリチル酸混合物）、他の酸等）、ならびに他の天然材料および合成材料のうちの１つ以上を含む、請求項１乃至１１のいずれか１項に記載の方法。
【請求項１３】
前記少なくとも１つの治療材料はボトルに収容され、該ボトルが前記ハンドピースアセンブリと流体連通している、請求項１乃至１２のいずれか１項に記載の方法。
【請求項１４】
前記少なくとも１つの治療材料はカートリッジに収容され、該カートリッジが前記ハンドピースアセンブリに固定されるように構成されている、請求項１乃至１２のいずれか１項に記載の方法。
【請求項１５】
前記少なくとも１つの治療材料は、前記ハンドピースアセンブリのチップに配置され、前記少なくとも１つの治療材料は、液体の存在下で少なくとも部分的に溶解または放出するように構成されている、請求項１乃至１４のいずれか１項に記載の方法。
【請求項１６】
前記対象者の皮膚表面を少なくとも部分的に剥離することをさらに含む、請求項１乃至１５のいずれか１項に記載の方法。
【請求項１７】
前記対象者の皮膚表面を少なくとも部分的に剥離することは、研磨面または研磨部材を使用して剥離することを含む、請求項１６に記載の方法。
【請求項１８】
前記対象者の皮膚表面を少なくとも部分的に剥離することは、化学的剥離剤を使用して剥離することを含む、請求項１６または１７に記載の方法。
【請求項１９】
前記対象者の皮膚表面の少なくとも部分的に剥離させることは、前記対象者の皮膚表面の前記標的部分に少なくとも１つの治療材料を供給することの前に行われる、請求項１６乃至１８のいずれか１項に記載の方法。
【請求項２０】
前記少なくとも１つの治療材料が成長因子を含む、請求項１９に記載の方法。
【請求項２１】
前記皮膚組織に光治療を施すことをさらに含み、該光治療は前記皮膚組織に赤色光または青色光を与えることを含む、請求項１６乃至２０のいずれか１項に記載の方法。